(57)【要約】【課題】冷温水の流れおよび空気の流れを交互に切り換える調湿装置の快適性を向上させることである。【解決手段】冷水が流れる第１吸着熱交換器（32）で第１空気を除湿すると共に温水が流れる第２吸着熱交換器（42）で第２空気を加湿する状態と、冷水が流れる第２吸着熱交換器（42）で第１空気を除湿すると共に温水が流れる第１吸着熱交換器（32）で第２空気を加湿する状態とに切り換わるように水流れと空気流れを切り換える。例えば、冷房除湿運転の場合、冷水の流れのみを切り換えてから所定時間が経過した後に空気流れを切り換える。これにより、第２空気が流れる吸着熱交換器（32,42）が冷水によって冷却されるので、空気流れ切換後第１空気は加熱されずに室内へ供給される。【選択図】  図１
2006284078.tif 000002
【特許請求の範囲】
【請求項１】
水分の吸脱着可能な吸着剤を有する第１熱交換器（32）および第２熱交換器（42）が接続され、冷水と温水とが流れる水回路（20）を備え、
上記冷水が流れる第１熱交換器（32）で第１空気を除湿すると共に、温水が流れる第２熱交換器（42）で第２空気を加湿する状態と、冷水が流れる第２熱交換器（42）で第１空気を除湿すると共に、温水が流れる第１熱交換器（32）で第２空気を加湿する状態とに切り換わるように水流れと空気流れを切り換える調湿装置であって、
上記冷水および温水の少なくとも何れかの流れを切り換えてから所定時間後に、空気流れを切り換える
ことを特徴とする調湿装置。
【請求項２】
水分の吸脱着可能な吸着剤を有する第１熱交換器（32）および第２熱交換器（42）が接続され、冷水が流れる水回路（20）を備え、
上記冷水が流れる第１熱交換器（32）で第１空気を除湿すると共に、第２熱交換器（42）で第２空気を加湿する状態と、冷水が流れる第２熱交換器（42）で第１空気を除湿すると共に、第１熱交換器（32）で第２空気を加湿する状態とに切り換わるように冷水流れと空気流れを切り換える調湿装置であって、
上記冷水流れを切り換えてから所定時間後に、空気流れを切り換える
ことを特徴とする調湿装置。
【請求項３】
水分の吸脱着可能な吸着剤を有する第１熱交換器（32）および第２熱交換器（42）が接続され、温水が流れる水回路（20）を備え、
上記温水が流れる第１熱交換器（32）で第２空気を加湿すると共に、第２熱交換器（42）で第１空気を除湿する状態と、温水が流れる第２熱交換器（42）で第２空気を加湿すると共に、第１熱交換器（32）で第１空気を除湿する状態とに切り換わるように温水流れと空気流れを切り換える調湿装置であって、
上記温水流れを切り換えてから所定時間後に、空気流れを切り換える
ことを特徴とする調湿装置。
【請求項４】
請求項１において、
除湿した第１空気を利用側へ供給する除湿運転の際、冷水の流れを切り換えてから空気流れを切り換えるまでの所定時間の間、温水の第１熱交換器（32）および第２熱交換器（42）への流れが阻止される中間状態に切り換わる
ことを特徴とする調湿装置。
【請求項５】
請求項１において、
加湿した第２空気を利用側へ供給する加湿運転の際、温水の流れを切り換えてから空気流れを切り換えるまでの所定時間の間、冷水の第１熱交換器（32）および第２熱交換器（42）への流れが阻止される中間状態に切り換わる
ことを特徴とする調湿装置。
【請求項６】
請求項４において、
上記水回路（20）は、中間状態時に温水が第１熱交換器（32）および第２熱交換器（42）をバイパスして流れるバイパス通路（36）を備えている
ことを特徴とする調湿装置。
【請求項７】
請求項５において、
上記水回路（20）は、中間状態時に冷水が第１熱交換器（32）および第２熱交換器（42）をバイパスして流れるバイパス通路（36）を備えている
ことを特徴とする調湿装置。
【発明の詳細な説明】
【技術分野】
【０００１】
本発明は、調湿装置に関し、特に、水回路を有してバッチ式の運転動作を行う調湿装置の快適性の向上対策に係るものである。
【背景技術】
【０００２】
従来より、吸着剤と冷凍サイクルとを用いて空気の湿度調節を行う調湿装置が知られている（例えば、特許文献１参照）。
【０００３】
上記調湿装置は、吸着剤を有する２つの吸着素子と冷凍サイクルを行う冷媒回路とを備えている。この調湿装置は、第１の吸着素子で第１空気を除湿すると共に冷媒回路の凝縮器で加熱された第２空気で第２の吸着素子を再生する第１動作と、第２の吸着素子で第１空気を除湿すると共に凝縮器で加熱された第２空気で第１の吸着素子を再生する第２動作とを行う。そして、この２つの動作が交互に繰り返され、除湿した第１空気または加湿した第２空気が室内へ供給される。
【０００４】
一方、上記吸着素子と熱交換器とを一体化し、吸着剤が担持された吸着熱交換器を用いることが考えられている。この場合、吸着熱交換器は、多数の板状のフィンと該フィンを貫通する銅管とを備えた、いわゆるフィン・アンド・チューブ型の熱交換器に構成されている。そして、このフィンおよび銅管の表面に吸着剤が担持されている。この熱交換器では、吸着剤によって流通空気の除加湿が行われると共に、銅管内を流れる冷媒によって吸着剤の加熱や冷却が行われる。
【０００５】
さらに、冷媒回路に代えて冷水や温水が流れる水回路を用いた調湿装置が考えられる。つまり、冷水と温水とを吸着熱交換器へ交互に流すことにより、その吸着剤の冷却や加熱が行われる。
【特許文献１】特開２００４−６０９５４号公報
【発明の開示】
【発明が解決しようとする課題】
【０００６】
しかしながら、上述した水回路を用いる従来の調湿装置では、冷媒と比べて冷水や温水が吸着剤を冷却または加熱するのに時間が懸かるという問題があった。つまり、例えば、冷房除湿運転の場合、吸着剤の冷却に時間が懸かるため、その吸着熱交換器に残存する温熱によって流通する空気が加熱されて室内へ供給されてしまう。また、暖房加湿運転の場合は、冷却された空気が室内へ供給される。したがって、快適性を損なうという問題があった。
【０００７】
本発明は、斯かる点に鑑みてなされたものであり、その目的とするところは、冷水や温水によって吸着熱交換器の吸着剤の冷却や加熱を交互に行う調湿装置において、快適性を向上させることである。
【課題を解決するための手段】
【０００８】
第１の発明は、水分の吸脱着可能な吸着剤を有する第１熱交換器（32）および第２熱交換器（42）が接続され、冷水と温水とが流れる水回路（20）を備え、上記冷水が流れる第１熱交換器（32）で第１空気を除湿すると共に、温水が流れる第２熱交換器（42）で第２空気を加湿する状態と、冷水が流れる第２熱交換器（42）で第１空気を除湿すると共に、温水が流れる第１熱交換器（32）で第２空気を加湿する状態とに切り換わるように水流れと空気流れを切り換える調湿装置を前提としている。そして、本発明は、上記冷水および温水の少なくとも何れかの流れを切り換えてから所定時間後に、空気流れを切り換える。
【０００９】
上記の発明では、冷水が流れる第１熱交換器（32）または第２熱交換器（42）において、第１空気中の水分が吸着剤に吸着されると共に、流通する冷水によって吸着剤および第１空気が冷却される。一方、温水が流れる第２熱交換器（42）または第１熱交換器（32）において、吸着剤から脱着した水分が第２空気中へ放出されると共に、流通する温水によって吸着剤および第２空気が加熱される。そして、冷房除湿運転時には第１空気が室内へ供給され、暖房加湿運転時には第２空気が室内へ供給される。
【００１０】
ここで、例えば冷房除湿運転の場合、冷水のみ、又は冷水および温水の流れを切り換えてから所定時間後に空気流れを切り換えるので、その所定時間の間に、温水によって加熱された熱交換器（32,42）が予め冷水によって冷却される。したがって、空気流れの切換後にその熱交換器（32,42）を通る第１空気が加熱されることはない。これにより、室内へ温風が供給されることはない。
【００１１】
一方、暖房加湿運転の場合、温水のみ、又は温水および冷水の流れを切り換えてから所定時間後に空気流れを切り換えるので、その所定時間の間に、冷水によって冷却された熱交換器（32,42）が温水によって加熱される。したがって、空気流れの切換後にその熱交換器（32,42）を通る第２空気が冷却されることはない。これにより、室内へ冷風が供給されることはない。
【００１２】
また、第２の発明は、水分の吸脱着可能な吸着剤を有する第１熱交換器（32）および第２熱交換器（42）が接続され、冷水が流れる水回路（20）を備え、上記冷水が流れる第１熱交換器（32）で第１空気を除湿すると共に、第２熱交換器（42）で第２空気を加湿する状態と、冷水が流れる第２熱交換器（42）で第１空気を除湿すると共に、第１熱交換器（32）で第２空気を加湿する状態とに切り換わるように冷水流れと空気流れを切り換える調湿装置を前提としている。そして、本発明は、上記冷水流れを切り換えてから所定時間後に、空気流れを切り換える。
【００１３】
上記の発明では、冷水が流れる第１熱交換器（32）または第２熱交換器（42）において、第１空気中の水分が吸着剤に吸着されると共に、流通する冷水によって吸着剤および第１空気が冷却される。一方、冷水が流れていない第２熱交換器（42）または第１熱交換器（32）において、吸着剤から脱着した水分が第２空気中へ放出される。そして、冷房除湿運転時には第１空気が室内へ供給され、暖房加湿運転時には第２空気が室内へ供給される。
【００１４】
ここで、冷房除湿運転の場合、冷水の流れを切り換えてから所定時間後に空気流れを切り換えるので、その所定時間の間に、熱交換器（32,42）が予め冷水によって冷却される。したがって、空気流れの切換後にその熱交換器（32,42）を通る第１空気が加熱されることはない。これにより、室内へ温風が供給されることはない。
【００１５】
また、第３の発明は、水分の吸脱着可能な吸着剤を有する第１熱交換器（32）および第２熱交換器（42）が接続され、温水が流れる水回路（20）を備え、上記温水が流れる第１熱交換器（32）で第２空気を加湿すると共に、第２熱交換器（42）で第１空気を除湿する状態と、温水が流れる第２熱交換器（42）で第２空気を加湿すると共に、第１熱交換器（32）で第１空気を除湿する状態とに切り換わるように温水流れと空気流れを切り換える調湿装置を前提としている。そして、本発明は、上記温水流れを切り換えてから所定時間後に、空気流れを切り換える。
【００１６】
上記の発明では、温水が流れていない第１熱交換器（32）または第２熱交換器（42）において、第１空気中の水分が吸着剤に吸着される。一方、温水が流れる第２熱交換器（42）または第１熱交換器（32）において、吸着剤から脱着した水分が第２空気中へ放出されると共に、流通する温水によって吸着剤および第２空気が加熱される。そして、冷房除湿運転時には第１空気が室内へ供給され、暖房加湿運転時には第２空気が室内へ供給される。
【００１７】
ここで、暖房加湿運転の場合、温水の流れを切り換えてから所定時間後に空気流れを切り換えるので、その所定時間の間に、熱交換器（32,42）が予め温水によって加熱される。したがって、空気流れの切換後にその熱交換器（32,42）を通る第２空気が冷却されることはない。これにより、室内へ冷風が供給されることはない。
【００１８】
また、第４の発明は、上記第１の発明において、除湿した第１空気を利用側へ供給する除湿運転の際、冷水の流れを切り換えてから空気流れを切り換えるまでの所定時間の間、温水の第１熱交換器（32）および第２熱交換器（42）への流れが阻止される中間状態に切り換わる。
【００１９】
上記の発明では、中間状態において、第１空気が流れる熱交換器（32,42）には温水が流れないため、第１空気が加熱されることはない。したがって、中間状態においても室内へ温風が供給されない。
【００２０】
また、第５の発明は、上記第１の発明において、加湿した第２空気を利用側へ供給する加湿運転の際、温水の流れを切り換えてから空気流れを切り換えるまでの所定時間の間、冷水の第１熱交換器（32）および第２熱交換器（42）への流れが阻止される中間状態に切り換わる。
【００２１】
上記の発明では、中間状態において、第２空気が流れる熱交換器（32,42）には冷水が流れないため、第２空気が冷却されることはない。したがって、中間状態においても室内へ冷風が供給されない。
【００２２】
また、第６の発明は、上記第４の発明において、上記水回路（20）は、中間状態時に温水が第１熱交換器（32）および第２熱交換器（42）をバイパスして流れるバイパス通路（36）を備えている。
【００２３】
上記の発明では、中間状態において、温水がバイパス通路（36）を流れて熱交換器（32,42）をバイパスするので、確実に温水の熱交換器（32,42）への流れが阻止される。したがって、中間状態において温風が室内へ供給されるのを確実に防止できる。
【００２４】
また、第７の発明は、上記第５の発明において、上記水回路（20）は、中間状態時に冷水が第１熱交換器（32）および第２熱交換器（42）をバイパスして流れるバイパス通路（36）を備えている。
【００２５】
上記の発明では、中間状態において、冷水がバイパス通路（36）を流れて熱交換器（32,42）をバイパスするので、確実に冷水の熱交換器（32,42）への流れが阻止される。したがって、中間状態において冷風が室内へ供給されるのを確実に防止できる。
【発明の効果】
【００２６】
したがって、本発明によれば、冷水および温水が流れる水回路（20）を有する調湿装置（10）において、冷水および温水の少なくとも何れかの流れを切り換えてから所定時間後に空気流れを切り換えるようにしたので、予め熱交換器（32,42）を冷却または加熱することができる。したがって、冷房除湿運転時には第１空気を加熱することなく室内へ供給し、暖房加湿運転時には第２空気を冷却することなく室内へ供給することができる。これにより、快適性を向上させることができる。
【００２７】
また、第２の発明によれば、冷水が流れる水回路（20）を有する調湿装置（10）において、冷水の流れを切り換えてから所定時間後に空気流れを切り換えるようにしたので、予め第１空気が流れる熱交換器（32,42）を冷却することができる。したがって、冷房除湿運転時には第１空気を加熱することなく室内へ供給することができる。これにより、快適性を向上させることができる。
【００２８】
また、第３の発明によれば、温水が流れる水回路（20）を有する調湿装置（10）において、温水の流れを切り換えてから所定時間後に空気流れを切り換えるようにしたので、予め第２空気が流れる熱交換器（32,42）を加熱することができる。したがって、冷房除湿運転時には第２空気を冷却することなく室内へ供給することができる。これにより、快適性を向上させることができる。
【００２９】
また、第４の発明によれば、除湿運転の場合、中間状態において温水を何れの熱交換器（32,42）にも流さないようにしたので、中間状態においても第１空気を加熱せずに室内へ供給することができる。したがって、一層快適性が向上する。
【００３０】
また、第５の発明によれば、加湿運転の場合、中間状態において冷水を何れの熱交換器（32,42）にも流さないようにしたので、中間状態においても第２空気を冷却せずに室内へ供給することができる。したがって、一層快適性が向上する。
【００３１】
また、第６または第７の発明によれば、中間状態において、温水または冷水が熱交換器（32,42）をバイパスして流れるバイパス通路（36）を設けるようにしたので、中間状態においても確実に第１空気を加熱しなまま、また第２空気を冷却しないままそれぞれ室内へ供給することができる。
【発明を実施するための最良の形態】
【００３２】
以下、本発明の実施形態を図面に基づいて詳細に説明する。
【００３３】
《発明の実施形態１》
図１に示すように、本実施形態の調湿装置（10）は、室内空気の除湿と加湿とを行うものである。この調湿装置（10）は、冷水と温水が流れる水回路（20）を備えると共に、第１空気および第２空気を取り込んで流通させる空気通路（図示せず）を備えている。
【００３４】
上記水回路（20）には、冷温水が導入される第１入口（21）および第２入口（23）と、冷温水が排出される第１出口（22）および第２出口（24）とが設けられている。
【００３５】
上記水回路（20）は、第１通路（30）および第２通路（40）を備えている。上記第１通路（30）は、第１入口（21）と第１出口（22）とを繋ぐ通路であり、第２通路（40）は、第２入口（23）と第２出口（24）とを繋ぐ通路である。
【００３６】
上記第１通路（30）は、第１入口（21）側から順に、入口側三方弁（31）、第１吸着熱交換器（32）および出口側三方弁（33）が設けられている。上記第２通路（40）は、第２入口（23）側から順に、入口側三方弁（41）、第２吸着熱交換器（42）および出口側三方弁（43）が設けられている。
【００３７】
上記第１通路（30）および第２通路（40）には、それぞれ入口側分岐通路（34,44）と出口側分岐通路（35,45）とが接続されている。上記第１通路（30）の入口側分岐通路（34）は、一端が第１通路（30）の入口側三方弁（31）に接続され、他端が第２通路（40）における入口側三方弁（41）と第２吸着熱交換器（42）との間に接続されている。上記第１通路（30）の出口側分岐通路（35）は、一端が第１通路（30）における第１吸着熱交換器（32）と出口側三方弁（33）との間に接続され、他端が第２通路（40）の出口側三方弁（43）に接続されている。上記第２通路（40）の入口側分岐通路（44）は、一端が第２通路（40）の入口側三方弁（41）に接続され、他端が第１通路（30）における入口側三方弁（31）と第１吸着熱交換器（32）との間に接続されている。上記第２通路（40）の出口側分岐通路（45）は、一端が第２通路（40）における第２吸着熱交換器（42）と出口側三方弁（43）との間に接続され、他端が第１通路（30）の出口側三方弁（33）に接続されている。
【００３８】
上記入口側三方弁（31,41）および出口側三方弁（33,43）は、冷水および温水の流路切換手段を構成している。上記第１通路（30）の入口側三方弁（31）は、第１入口（21）側が、第１吸着熱交換器（32）の上流側と連通する第１状態（図１に実線で示す状態）と、入口側分岐通路（34）と連通する第２状態（図１に破線で示す状態）とに切り換わるように構成されている。上記第１通路（30）の出口側三方弁（33）は、第１出口（22）側が、第１吸着熱交換器（32）の下流側と連通する第１状態（図１に実線で示す状態）と、出口側分岐通路（45）と連通する第２状態（図１に破線で示す状態）とに切り換わるように構成されている。上記第２通路（40）の入口側三方弁（41）は、第２入口（23）側が、第２吸着熱交換器（42）の上流側と連通する第１状態（図１に実線で示す状態）と、入口側分岐通路（44）と連通する第２状態（図１に破線で示す状態）とに切り換わるように構成されている。上記第２通路（40）の出口側三方弁（43）は、第２出口（24）側が、第２吸着熱交換器（42）の下流側と連通する第１状態（図１に実線で示す状態）と、出口側分岐通路（35）と連通する第２状態（図１に破線で示す状態）とに切り換わるように構成されている。
【００３９】
上記第１吸着熱交換器（32）および第２吸着熱交換器（42）は、それぞれクロスフィン式のフィン・アンド・チューブ型熱交換器により構成されている。つまり、上記第１吸着熱交換器（32）および第２吸着熱交換器（42）は、長方形板状に形成されたアルミニウム製の多数のフィンと、該フィンを貫通する銅製の伝熱管とを備えている。
【００４０】
上記フィンおよび伝熱管の外表面には、水分の吸脱着可能な吸着剤が接着剤であるバインダーと共にディップ成形（浸漬成形）により担持されている。上記吸着剤には、ゼオライト、シリカゲル、活性炭、親水性または吸水性を有する有機高分子ポリマー系材料、カルボン酸基またはスルホン酸基を有するイオン交換樹脂系材料、感温性高分子等の機能性高分子材料などが用いられる。そして、上記第１吸着熱交換器（32）が第１熱交換器を構成し、第２吸着熱交換器（42）が第２熱交換器を構成している。
【００４１】
上記水回路（20）は、温水が流れる第１吸着熱交換器（32）で第２空気を加湿すると共に、冷水が流れる第２吸着熱交換器（42）で第１空気を除湿する第１サイクル動作と、温水が流れる第２吸着熱交換器（42）で第２空気を加湿すると共に、冷水が流れる第１吸着熱交換器（32）で第１空気を除湿する第２サイクル動作とを交互に繰り返すように冷温水の流れおよび空気の流れが切り換えられる。
【００４２】
具体的に、上記第１サイクル動作では、第２吸着熱交換器（42）にて第１空気の水分が吸着剤に吸着されると同時に、該第１空気および吸着剤が冷水によって冷却される一方、第１吸着熱交換器（32）にて吸着剤より水分が第２空気へ放出されると同時に、該第２空気および吸着剤が温水によって加熱される。また、上記第２サイクル動作では、第１吸着熱交換器（32）にて第１空気の水分が吸着剤に吸着されると同時に、該第１空気および吸着剤が冷水によって冷却される一方、第２吸着熱交換器（42）にて吸着剤より水分が第２空気へ放出されると同時に、該第２空気および吸着剤が温水によって加熱される。
【００４３】
上記調湿装置（10）は、冷房除湿運転と暖房加湿運転とが切り換わるように構成されている。上記冷房除湿運転時に温水が第１入口（21）より導入されると共に冷水が第２入口（23）より導入され、暖房加湿運転時に温水が第２入口（23）より導入されると共に冷水が第１入口（21）より導入されるように、冷水および温水の流れを切り換える。また、上記調湿装置（10）は、冷房除湿運転時には第１空気が室内へ供給されると共に第２空気が室外へ排出され、暖房加湿運転時には第２空気が室内へ供給されると共に第１空気が室外へ排出されるように空気の流れを切り換える。
【００４４】
また、上記第１通路（30）には、バイパス用三方弁（37）を有するバイパス通路（36）が設けられている。このバイパス通路（36）は、一端が入口側三方弁（31）よりも第１入口（21）側に接続され、他端が出口側三方弁（33）よりも第１出口（22）側に接続されている。上記バイパス用三方弁（37）は、第１入口（21）よりバイパス通路（36）へ流れた温水または冷水が、そのまま第１出口（22）側へ向かって流れる第２状態（図１に破線で示す状態）と、再び第１通路（30）に戻る第１状態（図１に実線で示す状態）とに切り換わるように構成されている。つまり、上記バイパス通路（36）は、第１入口（21）より導入された冷水または温水を第１吸着熱交換器（32）および第２吸着熱交換器（42）をバイパスさせてそのまま第１出口（22）へ流すことができるように構成されている。
【００４５】
また、上記調湿装置（10）は、本発明の特徴として、第１サイクル動作および第２サイクル動作の切換の際、冷水または温水の流れを切り換えてから所定時間後に、空気流れを切り換えるように構成されている。
【００４６】
例えば、冷房除湿運転の場合は、冷水の流れのみを切り換えた後、所定時間が経過すると空気流れを切り換える。また、暖房加湿運転の場合は、温水の流れのみを切り換えた後、所定時間が経過すると空気流れを切り換える。上記所定時間の間、冷房除湿運転の場合は温水がバイパス通路（36）を流れる中間状態に切り換わり、暖房加湿運転の場合は冷水がバイパス通路（36）を流れる中間状態に切り換わる。すなわち、この中間状態は、冷房除湿運転時には温水が、暖房加湿運転時には冷水が第１吸着熱交換器（32）および第２吸着熱交換器（42）へ流れるのを阻止するように構成されている。
【００４７】
−運転動作−
上記調湿装置（10）の運転動作について説明する。この調湿装置（10）では、冷房除湿運転と暖房加湿運転とが切り換え可能になっている。
【００４８】
先ず、冷房除湿運転について説明する。この冷房除湿運転は、除湿した第１空気を室内へ供給する運転である。ここでは、主として第１サイクル動作から第２サイクル動作への切換動作について、図１〜図７を参照しながら説明する。
【００４９】
図１に示すように、上記水回路（20）が第１サイクル動作を行うように切り換えられる。具体的に、各入口側三方弁（31,41）および各出口側三方弁（33,43）が第１状態に設定され、バイパス用三方弁（37）が第１状態に設定される。また、この調湿装置（10）は、室外空気（OA）が第１空気として第２吸着熱交換器（42）へ流れ、室内空気（RA）が第２空気として第１吸着熱交換器（32）へ流れるように空気流れが設定される。そして、温水が第１入口（21）より導入され、冷水が第２入口（23）より導入される。
【００５０】
先ず、上記第１入口（21）より導入された温水は、入口側三方弁（31）を通って第１吸着熱交換器（32）へ流れる。この第１吸着熱交換器（32）では、温水によって吸着剤および第２空気が加熱され、その際、吸着剤より水分が第２空気へ放出されて該第２空気の加湿が行われる。その後、この第２空気は、排出空気（EA）として室外へ排出される。上記第１吸着熱交換器（32）を出た温水は、出口側三方弁（33）を通って第１出口（22）より排出される。
【００５１】
一方、上記第２入口（23）より導入された冷水は、入口側三方弁（31）を通って第２吸着熱交換器（42）へ流れる。この第２吸着熱交換器（42）では、冷水によって吸着剤および第１空気が冷却され、その際、第１空気中の水分が吸着剤に吸着されて該第１空気の除湿が行われる。その後、この第１空気は、供給空気（SA）として室内へ供給される。上記第２吸着熱交換器（42）を出た冷水は、出口側三方弁（43）を通って第２出口（24）より排出される。つまり、この第１サイクル動作において、温水は第１通路（30）のみを流れ、冷水は第２通路（40）のみを流れる。
【００５２】
上記水回路（20）は、上述した第１サイクル動作が所定時間行われると、バイパス用三方弁（37）、第１通路（30）の出口側三方弁（33）、第２通路（40）の出口側三方弁（43）、第２通路（40）の入口側三方弁（41）が順に第２状態に切り換えられることにより、中間状態に切り換わる。
【００５３】
先ず、図２示すように、上記バイパス用三方弁（37）が第２状態に切り換わると、第１入口（21）より導入された温水の一部が第１吸着熱交換器（32）へ向かって流れると共に、残りが第１通路（30）からバイパス通路（36）へ分岐して第１出口（22）へ流れる。つまり、この状態では、温水の第１入口（21）から第１出口（22）までのルートが２つ確保される。
【００５４】
続いて、図３に示すように、第１通路（30）の出口側三方弁（33）が第２状態に切り換わると、第１入口（21）より導入された温水の全量がバイパス通路（36）を通って第１出口（22）へ流れる。一方、第２吸着熱交換器（42）を出た冷水の一部が第２出口（24）へ流れると共に、残りが第２通路（40）から出口側分岐通路（45）へ分岐し、第１通路（30）の出口側三方弁（33）を通って第１出口（22）へ流れる。このように、第１通路（30）の出口側三方弁（33）の切換前にバイパス用三方弁（37）を切り換えることにより、温水の流れが遮断されることなく、温水が第１出口（22）へ流れる。したがって、非圧縮性流体である水が配管内に閉じ込められることによる配管等の破裂を防止することができる。
【００５５】
続いて、図４に示すように、第２通路（40）の出口側三方弁（43）が第２状態に切り換わると、第１入口（21）より導入された温水の一部が第１吸着熱交換器（32）を通った後、出口側分岐通路（35）を介して第２出口（24）へ流れると共に、残りが第１通路（30）からバイパス通路（36）へ分岐して第１出口（22）へ流れる。つまり、この状態では、第１吸着熱交換器（32）を通った温水が第２出口（24）へ流れ、第２吸着熱交換器（42）を通った冷水が第１出口（22）へ流れる。このように、第１通路（30）の出口側三方弁（33）を切り換えた後に第２通路（40）の出口側三方弁（43）を切り換えるので、冷水の流れが遮断される恐れはなくなる。つまり、両出口側三方弁（33,43）を同時に切り換える場合、例えば第１通路（30）の出口側三方弁（33）が作動不良等により切り換わらないと、冷水の流れが遮断されて配管等が破裂する恐れがあるが、順次切り換えることにより、その切換対象の出口側三方弁（33,43）が作動不良等起こしても冷水を必ず第１出口（22）または第２出口（24）へ流すことができる。
【００５６】
そして、図５に示すように、第２通路（40）の入口側三方弁（41）が第２状態に切り換わると、水回路（20）が中間状態に切り換わる。これにより、第２入口（23）より導入された冷水は、入口側分岐通路（44）を通って第１通路（30）へ流れ、その後、第１入口（21）より導入された温水の一部と合流して第１吸着熱交換器（32）へ流れる。一方、上記第２吸着熱交換器（42）は、冷水および温水の何れも流通していない状態になる。この場合も、予め第１通路（30）の出口側三方弁（33）を切り換えていることから、万一第２通路（40）の入口側三方弁（41）が切換不良を起こしても冷水は第１出口（22）へ確実に流れるため、冷水の流れが遮断されて配管等が破裂する恐れはなくなる。
【００５７】
この中間状態において、第１吸着熱交換器（32）は、それまで流通していた温水による温熱が残存しているが、冷水が加わって流れることによって徐々に冷却される。その際、第２空気が冷却されて室外へ排出される。一方、上記第２吸着熱交換器（42）は、それまで流通していた冷水による冷熱が残存しているため、その残存する冷熱によって第１空気が冷却されて室内へ供給される。さらに、上記第２吸着熱交換器（42）は、温水が流れないため、温水によって加熱されることはなく、第１空気が確実に冷却される。つまり、この中間状態では、第１サイクル動作から冷水の流れのみが次の第２サイクル動作用に切り換わる。
【００５８】
図６に示すように、上記水回路（20）は、中間状態に切り換わってから所定時間が経過すると、第１通路（30）の入口側三方弁（31）が第２状態に切り換わると共に、空気の流れが切り換わり、第２サイクル動作が行われる。つまり、第１空気としての室外空気（OA）が第１吸着熱交換器（32）へ流れ、第２空気としての室内空気（RA）が第２吸着熱交換器（42）へ流れるように空気流れが切り換わる。
【００５９】
上記第２吸着熱交換器（42）では、温水によって吸着剤および第２空気が加熱され、その際、該第２空気が加湿されて排出空気（EA）として室外へ排出される。一方、上記第１吸着熱交換器（32）では、冷水によって吸着剤および第１空気が冷却され、その際、該第１空気が除湿されて供給空気（SA）として室内へ供給される。ここで、第１サイクル動作で加熱された第１吸着熱交換器（32）は、中間状態の所定時間の間に、冷水によって冷却されている。したがって、切換後、第１吸着熱交換器（32）にて第１空気が加熱されて室内へ供給されることはないので、室内の快適性を損なうことはない。そして、図７に示すように、バイパス用三方弁（37）が第１状態に切り換えられて第２サイクル動作への切換が完了する。
【００６０】
上記第２サイクル動作から第１サイクル動作への切換は、上述した切換と同様の要領で行われる。つまり、上記水回路（20）は、第２サイクル動作が所定時間行われると、バイパス用三方弁（37）、第１通路（30）の出口側三方弁（33）、第２通路（40）の出口側三方弁（43）、第２通路（40）の入口側三方弁（41）が順に第１状態に切り換えられて中間状態に切りかわる。この中間状態では、冷水および温水が第２吸着熱交換器（42）を通って第２出口（24）へ流れる。その後、水回路（20）は、中間状態のまま所定時間が経過すると、第１通路（30）の入口側三方弁（31）を第１状態に切り換えると共に、第１空気が第２吸着熱交換器（42）へ流れ、第２空気が第１吸着熱交換器（32）へ流れるように空気流れを切り換える。その後、バイパス用三方弁（37）が第１状態に切り換えられて第１サイクル動作への切換が完了する。このように、第１サイクル動作および第２サイクル動作が交互に切り換えられて冷房除湿運転が連続して行われる。
【００６１】
次に、暖房加湿運転について説明する。この暖房加湿運転は、加湿した第２空気を室内へ供給する運転である。つまり、この運転の場合、室内空気（RA）が第１空気として取り込まれ、室外空気（OA）が第２空気として取り込まれる一方、冷水が第１入口（21）より導入され、温水が第２入口（23）より導入される。なお、第１サイクル動作および第２サイクル動作の切換は、上述した冷房除湿運転時の切換動作と同様である。
【００６２】
例えば、第１サイクル動作から第２サイクル動作へ切り換える際は、バイパス用三方弁（37）、第１通路（30）の出口側三方弁（33）、第２通路（40）の出口側三方弁（43）、第２通路（40）の入口側三方弁（41）が順に第２状態に切り換えられて中間状態に切り換わる。この中間状態では、温水の流れのみが切り換えられ、第１吸着熱交換器（32）が温水によって加熱される。その後、所定時間が経過すると第２サイクル動作へ切り換わる。したがって、サイクル切換直後、第２空気が第１吸着熱交換器（32）で冷却されて室内へ供給されることはないので、室内の快適性を損なう恐れはない。なお、第２サイクル動作から第１サイクル動作への切換時も同様である。
【００６３】
なお、本実施形態において、バイパス用三方弁（37）に代えて二方弁である開閉弁を用いるようにしてもよい。この場合、第１サイクル動作および第２サイクル動作中は二方弁を閉状態に設定し、第１サイクル動作および第２サイクル動作の切換中は二方弁を開状態に設定する。つまり、上記二方弁の閉状態がバイパス用三方弁（37）の第１状態に対応し、二方弁の開状態がバイパス用三方弁（37）の第２状態に対応するように二方弁を切り換える。
【００６４】
−実施形態１の効果−
以上説明したように、冷房除湿運転の場合、第１サイクル動作および第２サイクル動作の切換前に、冷水の流れのみを切り換える中間状態を所定時間の間切り換えてから空気流れを切り換えるようにしたので、それまで第２空気を加湿していた吸着熱交換器（32,42）を冷水によって冷却することができる。したがって、空気流れの切換直後、第１空気がその吸着熱交換器（32,42）で加熱されて室内へ供給されることはないので、快適性を向上させることができる。
【００６５】
また、中間状態において、第１空気が吸着熱交換器（32,42）に残存する冷熱によって冷却されるので、中間状態においても快適性を損なうことはない。さらに、中間状態において、温水が何れの吸着熱交換器（32,42）へも流れないため、第１空気を確実に冷却して室内へ供給することができる。この結果、快適性を一層向上させることができる。
【００６６】
また、上述した作用効果は、暖房加湿運転においても同様に言える。つまり、中間状態および空気流れ切換直後において、第２空気が吸着熱交換器（32,42）で冷却されて室内へ供給されることはない。
【００６７】
また、中間状態への切換の際、バイパス用三方弁（37）、第１通路（30）の出口側三方弁（33）、第２通路（40）の出口側三方弁（43）、第２通路（40）の入口側三方弁（41）を、同時ではなく順に切り換えるようにしたので、万一何れかの弁類が作動不良等により切り換わらなかった場合でも、冷温水の流れが遮断されることなく冷温水を何れかの出口へ流すことができる。これにより、非圧縮性流体である水が配管内に閉じ込められないので、配管等が破裂するのを防止することができる。
【００６８】
−実施形態１の変形例−
本変形例は、上記実施形態１が中間状態において冷水または温水の流れのみを切り換えるようにしたのに代えて、冷水および温水の両方の流れを同時に切り換えるようにしたものである。具体的には、例えば、第１サイクル動作状態からバイパス用三方弁（37）、第１通路（30）の出口側三方弁（33）、第２通路（40）の出口側三方弁（43）を順に第２状態に切り換えた後、第２通路（40）の入口側三方弁（41）を第２状態に切り換えると同時に第１通路（30）の入口側三方弁（31）を第２状態に切り換える。
【００６９】
この場合、冷房除湿運転の中間状態において、第１空気が流通する吸着熱交換器（32,42）が温水によって徐々に加熱されるが、冷熱が残存しているため第１空気はそれ程加熱されることなく室内へ供給される。つまり、冷温水の流れと同時に空気流れを切り換える場合よりも第１空気が加熱されることはない。これについては、暖房加湿運転の場合も同用である。
【００７０】
《発明の実施形態２》
本実施形態２の調湿装置（10）は、上記実施形態１が水回路（20）の流路切換手段として各種三方弁（31,33,41・・・）を用いたのに代えて、複数の二方弁を用いるようにしたものである。
【００７１】
図８に示すように、第１通路（30）は、第１入口（21）側から順に、第１二方弁（3a）、第１吸着熱交換器（32）および第２二方弁（3b）が設けられている。上記第２通路（40）は、第２入口（23）側から順に、第１二方弁（4a）、第２吸着熱交換器（42）および第２二方弁（4b）が設けられている。
【００７２】
上記第１通路（30）および第２通路（40）には、それぞれ入口側分岐通路（34,44）と出口側分岐通路（35,45）とが接続されている。上記第１通路（30）の入口側分岐通路（34）は、途中に第３二方弁（3c）が設けられ、一端が第１通路（30）における第１二方弁（3a）の上流側に接続され、他端が第２通路（40）における第１二方弁（4a）と第２吸着熱交換器（42）との間に接続されている。上記第１通路（30）の出口側分岐通路（35）は、途中に第４二方弁（3d）が設けられ、一端が第１通路（30）における第１吸着熱交換器（32）と第２二方弁（3b）との間に接続され、他端が第２通路（40）における第２二方弁（4b）の下流側に接続されている。上記第２通路（40）の入口側分岐通路（44）は、途中に第３二方弁（4c）が設けられ、一端が第２通路（40）における第１二方弁（4a）の上流側に接続され、他端が第１通路（30）における第１二方弁（3a）と第１吸着熱交換器（32）との間に接続されている。上記第２通路（40）の出口側分岐通路（45）は、途中に第４二方弁（4d）が設けられ、一端が第２通路（40）における第２吸着熱交換器（42）と第２二方弁（4b）との間に接続され、他端が第１通路（30）における第２二方弁（3b）の下流側に接続されている。つまり、上記水回路（20）には、８個の二方弁が用いられている。
【００７３】
次に、本実施形態における冷房除湿運転の動作について、図８〜図１２を参照しながら説明する。
【００７４】
先ず、図８に示すように、上記水回路（20）が第１サイクル動作を行うように切り換えられる。具体的に、各第１二方弁（3a,4a）および各第２二方弁（3b,4b）が開状態に設定され、各第３二方弁（3c,4c）および各第４二方弁（3d,4d）が閉状態に設定される。なお、空気流れおよび冷温水の導入口は実施形態１と同様である。この状態では、第１入口（21）より導入された温水は、第１吸着熱交換器（32）で吸着剤および第２空気を加熱して第１出口（22）へ流れる。その際、第２空気の加湿が行われる。上記第２入口（23）より導入された冷水は、第２吸着熱交換器（42）で吸着剤および第１空気を冷却して第２出口（24）へ流れる。その際、第１空気の除湿が行われる。
【００７５】
上記水回路（20）は、第１サイクル動作が所定時間行われると、図９に示すように、各第４二方弁（3d,4d）が開状態に切り換えられる。この状態では、第１吸着熱交換器（32）を出た温水の一部が第１出口（22）へ流れると共に、残りが出口側分岐通路（35）を通って第２出口（24）へ流れる。また、上記第２吸着熱交換器（42）を出た冷水の一部が第１通路（30）の温水と合流して第２出口（24）へ流れると共に、残りが出口側分岐通路（45）を通って第１通路（30）の温水と合流して第１出口（22）へ流れる。つまり、この状態において、温水および冷水は２つの出口より排出される。
【００７６】
続いて、上記水回路（20）は、図１０に示すように、各第２二方弁（3b,4b）が閉状態に切り換えられる。この状態では、第１吸着熱交換器（32）を出た温水の全量が第２出口（24）へ流れ、第２吸着熱交換器（42）を出た冷水の全量が第１出口（22）へ流れる。ここで、各第２二方弁（3b,4b）が作動不良等を起こしても温水および冷水の流れが遮断されることはない。
【００７７】
続いて、上記水回路（20）は、図１１に示すように、第２通路（40）の第１二方弁（4a）が閉状態に切り換えられると共に、第２通路（40）の入口側分岐通路（44）の第３二方弁（4c）が開状態に切り換えられて、中間状態に切り換わる。この中間状態では、第２入口（23）より導入された冷水が入口側分岐通路（44）を通って第１通路（30）に流れ、温水と合流した後に第１吸着熱交換器（32）へ流れる。この第１吸着熱交換器（32）は、冷水の流れが加わることにより徐々に冷却される。一方、上記第２吸着熱交換器（42）には、温水および冷水の何れも流通しない。したがって、第１空気は、第２吸着熱交換器（42）に残存する冷熱によって冷却される。つまり、この中間状態では、実施形態１と同様に、冷水の流れのみが切り換えられる。
【００７８】
図１２に示すように、上記水回路（20）は、中間状態に切り換わってから所定時間が経過すると、第１通路（30）入口側分岐通路（44）の第３二方弁（4c）が開状態に、第１通路（30）の第１二方弁（3a）が閉状態にそれぞれ切り換えられると共に、空気流れが切り換わり、第２サイクル動作が行われる。この第２サイクル動作では、第１入口（21）より導入された温水が第２吸着熱交換器（42）で吸着剤および第２空気を加熱して第１出口（22）へ流れる。その際、第２空気の加湿が行われる。上記第２入口（23）より導入された冷水は、第１吸着熱交換器（32）で吸着剤および第１空気を冷却して第２出口（24）へ流れる。その際、第１空気の除湿が行われる。ここで、第１サイクル動作で加熱された第１吸着熱交換器（32）は、実施形態１と同様に、中間状態の所定時間の間に冷水によって冷却されているため、第１空気が加熱されずに冷却されて室内へ供給される。したがって、室内の快適性を向上させることができる。
【００７９】
上記第２サイクル動作から第１サイクル動作への切換は、図示しないが、各第２二方弁（3b,4b）が開状態に、各第３二方弁（3c,4c）が閉状態に順に切り換えられた後、第２通路（40）の第１二方弁（4a）が開状態に、第２通路（40）の入口側分岐通路（44）の第３二方弁（4c）が閉状態にそれぞれ切り換えられて、中間状態に切り換わる。この中間状態では、冷水および温水が第２吸着熱交換器（42）を通って第２出口（24）へ流れる。その後、水回路（20）は、中間状態のまま所定時間が経過すると、第１通路（30）の第１二方弁（3a）が開状態に、第１通路（30）の入口側分岐通路（44）の第３二方弁（3c）が閉状態にそれぞれ切り換えられると共に、第１空気が第２吸着熱交換器（42）へ流れ、第２空気が第１吸着熱交換器（32）へ流れるように空気流れが切り換わる。これで、第１サイクル動作への切換が完了する。このように、第１サイクル動作および第２サイクル動作が交互に切り換えられて冷房除湿運転が連続して行われる。
【００８０】
次に、暖房加湿運転について説明する。この暖房加湿運転は、室内空気（RA）が第１空気として取り込まれて除湿された後室外へ排出され、室外空気（OA）が第２空気として取り込まれて加湿された後室内へ供給される一方、冷水が第１入口（21）より導入され、温水が第２入口（23）より導入される。つまり、例えば、第１サイクル動作では、第１空気が第１吸着熱交換器（32）へ流れ、第２空気が第２吸着熱交換器（42）へ流れる。
【００８１】
例えば、第１サイクル動作から第２サイクル動作へ切り換える際は、上述した冷房除湿運転時と同様の切換動作を経て、水回路（20）が中間状態に切り換わる。この中間状態では、温水の流れのみが切り換えられ、第１吸着熱交換器（32）が温水によって加熱される。その後、所定時間が経過すると第２サイクル動作へ切り換わる。したがって、第２空気が第１吸着熱交換器（32）で冷却されずに加熱されて室内へ供給されるので、室内の快適性が向上する。なお、第２サイクル動作から第１サイクル動作への切換時も同様である。
【００８２】
《発明の実施形態３》
本実施形態３の調湿装置（10）は、図１３に示すように、上記実施形態１の水回路（20）に空気熱交換器（47）を有する第３通路（46）を追加したものである。具体的に、上記第３通路（46）は、途中に空気熱交換器（47）が設けられ、一端が第２通路（40）における入口側三方弁（41）よりも第２入口（23）側に接続され、他端が第２通路（40）における出口側三方弁（43）よりも第２出口（24）側に接続されている。なお、本図は、冷房除湿運転時における動作を示すものである。
【００８３】
上記空気熱交換器（47）は、いわゆるクロスフィン式のフィン・アンド・チューブ型熱交換器により構成された顕熱熱交換器である。この空気熱交換器（47）は、冷房除湿運転時において冷水が流れ、暖房加湿運転時において温水が流れる。また、この空気熱交換器（47）は、冷房除湿運転時に除湿した第１空気が流れると共に室内空気（RA）が第３空気として流れる一方、暖房加湿運転時に加湿した第２空気が流れると共に室内空気（RA）が第３空気として流れるように構成されている。なお、冷房除湿運転および暖房加湿運転において、第１サイクル動作および第２サイクル動作の切換は、実施形態１と同様である。
【００８４】
本実施形態では、冷房除湿運転時に、第１吸着熱交換器（32）または第２吸着熱交換器（42）で除湿された第１空気が空気熱交換器（47）で冷水によって冷却され、室内へ供給されると共に、第３空気が空気熱交換器（47）で冷水によって冷却されて室内へ供給される。したがって、冷房能力が向上する。また、暖房加湿運転時に、第１吸着熱交換器（32）または第２吸着熱交換器（42）で加湿された第２空気が空気熱交換器（47）で温水によって加熱され、室内へ供給されると共に、第３空気が空気熱交換器（47）で温水によって加熱されて室内へ供給される。したがって、暖房能力が向上する。その他の構成、作用および効果は実施形態１と同様である。
【００８５】
なお、本実施形態において、冷房除湿運転では第２空気および第３空気を、暖房加湿運転では第１空気および第３空気をそれぞれ別々に取り込むようにしたが、取り込んだ第２空気または第１空気の一部を分岐させて第３空気として空気熱交換器（47）へ流すようにしてもよい。
【００８６】
また、本実施形態における空気熱交換器（47）を有する第３通路（46）は、実施形態２における水回路（20）にも同様に適用される。
【００８７】
−実施形態３の変形例−
本変形例は、図１４に示すように、上記実施形態３が除湿した第１空気または加湿した第２空気を空気熱交換器（47）へ流すようにしたのに代えて、除湿後の第１空気または加湿後の第２空気をそのまま室内へ供給するようにしたものである。つまり、冷房除湿運転の場合は、除湿された第１空気が室内へ供給されると共に、空気熱交換器（47）で冷却された第３空気が室内へ供給される。また、暖房加湿運転の場合は、加湿された第２空気が室内へ供給されると共に、空気熱交換器（47）で加熱された第３空気が室内へ供給される。したがって、冷房能力および暖房能力が向上する。その他の構成、作用および効果は実施形態１と同様である。なお、本変形例における空気熱交換器（47）を有する第３通路（46）は、実施形態２における水回路（20）にも同様に適用される。
【００８８】
《発明の実施形態４》
本実施形態４の調湿装置（10）は、図１５および図１６に示すように、水回路（20）が温水のみ流れる回路に構成されている。具体的に、上記水回路（20）は、温水の入口（21）および出口（22）を１つずつ備えている。そして、上記水回路（20）は、実施形態１と同様の第１通路（30）と、実施形態１のものと構成を変更した第２通路（38）とを備えている。上記第１通路（30）は、入口（21）と出口（22）とを繋ぐものであり、入口（21）側から順に、入口側三方弁（31）、第１吸着熱交換器（32）および出口側三方弁（33）が設けられている。上記第２通路（38）は、途中に第２吸着熱交換器（42）を有し、入口側三方弁（31）と出口側三方弁（33）とに接続されている。
【００８９】
上記水回路（20）は、入口側三方弁（31）および出口側三方弁（33）の切換により、入口（21）より導入された温水が第１吸着熱交換器（32）を通って出口（22）へ流れる第１サイクル動作（図１５の状態）と、入口（21）より導入された温水が第２通路（38）へ流れて第２吸着熱交換器（42）を通った後、出口（22）へ流れる第２サイクル動作（図１６の状態）とが交互に行われるように構成されている。また、この調湿装置（10）は、冷房除湿運転と暖房加湿運転とが切換可能になっている。なお、図１５および図１６は、暖房加湿運転の動作を示すものである。
【００９０】
例えば、暖房加湿運転の場合、温水が流れる第１吸着熱交換器（32）または第２吸着熱交換器（42）で加湿した第２空気を室内へ供給するように空気流れを切り換える（図１５および図１６参照）。また、冷房除湿運転の場合、図示しないが、温水が流れない第２吸着熱交換器（42）または第１吸着熱交換器（32）で除湿した第１空気を室内へ供給するように空気流れを切り換える。
【００９１】
そして、上記水回路（20）は、暖房加湿運転の場合、入口側三方弁（31）および出口側三方弁（33）を切り換えてから、つまり温水の流れを切り換えてから所定時間が経過した後に、空気の流れを切り換えるように構成されている。したがって、上記所定時間の間に、第１空気を除湿していた第１吸着熱交換器（32）または第２吸着熱交換器（42）が予め加熱されるため、空気流れの切換後、第２空気が直ちに加熱されて室内へ供給される。これにより、室内の快適性が向上する。
【００９２】
−実施形態４の変形例−
本変形例は、図１７および図１８に示すように、上記実施形態４の水回路（20）を温水のみが流れる回路に構成したが、水回路（20）を冷水のみが流れる回路に構成したものである。つまり、上記水回路（20）は、入口側三方弁（31）および出口側三方弁（33）の切換により、入口（21）より導入された冷水が第１吸着熱交換器（32）を通って出口（22）へ流れる第１サイクル動作（図１７の状態）と、入口（21）より導入された冷水が第２通路（38）へ流れて第２吸着熱交換器（42）を通った後、出口（22）へ流れる第２サイクル動作（図１８の状態）とが交互に行われるように構成されている。また、この調湿装置（10）は、冷房除湿運転と暖房加湿運転とが切換可能になっている。なお、図１７および図１８は、冷房除湿運転の動作を示すものである。
【００９３】
例えば、冷房除湿運転の場合、冷水が流れる第１吸着熱交換器（32）または第２吸着熱交換器（42）で除湿した第１空気を室内へ供給するように空気流れを切り換える（図１７および図１８参照）。また、暖房加湿運転の場合、図示しないが、冷水が流れない第２吸着熱交換器（42）または第１吸着熱交換器（32）で加湿した第２空気を室内へ供給するように空気流れを切り換える。
【００９４】
そして、上記水回路（20）は、冷房除湿運転の場合、入口側三方弁（31）および出口側三方弁（33）を切り換えてから、つまり冷水の流れを切り換えてから所定時間が経過した後に、空気の流れを切り換えるように構成されている。したがって、上記所定時間の間に、第２空気を加湿していた第１吸着熱交換器（32）または第２吸着熱交換器（42）が予め冷却されるため、空気流れの切換後、第１空気が直ちに冷却されて室内へ供給される。これにより、室内の快適性が向上する。
【００９５】
《発明の実施形態５》
本実施形態５の調湿装置（10）は、図１９および図２０に示すように、実施形態４の水回路（20）における入口側三方弁（31）および出口側三方弁（33）に代えて、複数の二方弁を用いるようにしたものである。つまり、上記第１通路（30）は、第１吸着熱交換器（32）の上流側および下流側にそれぞれ第１二方弁（3a）および第２二方弁（3b）が設けられている。また、上記第２通路（38）は、第２吸着熱交換器（42）の上流側および下流側にそれぞれ第３二方弁（3c）および第４二方弁（3d）が設けられている。
【００９６】
上記水回路（20）は、第１二方弁（3a）および第２二方弁（3b）が開状態に、第３二方弁（3c）および第４二方弁（3d）が閉状態にそれぞれ設定される状態と、第１二方弁（3a）および第２二方弁（3b）が閉状態に、第３二方弁（3c）および第４二方弁（3d）が開状態にそれぞれ設定される状態とに切り換わる。つまり、上記水回路（20）は、入口（21）より導入された温水が第１吸着熱交換器（32）を通って出口（22）へ流れる第１サイクル動作（図１９の状態）と、入口（21）より導入された温水が第２通路（38）へ流れて第２吸着熱交換器（42）を通った後、出口（22）へ流れる第２サイクル動作（図２０の状態）とが交互に行われるように構成されている。また、この調湿装置（10）は、冷房除湿運転と暖房加湿運転とが切換可能になっている。なお、図１９および図２０は、暖房加湿運転の動作を示すものである。
【００９７】
そして、本実施形態においても、水回路（20）は、暖房加湿運転の場合、温水の流れを切り換えてから所定時間が経過した後に空気の流れを切り換えるように構成されている。したがって、空気流れの切換後、第２空気が直ちに加熱されて室内へ供給される。これにより、室内の快適性が向上する。
【００９８】
なお、上記水回路（20）は、温水ではなく冷水のみ流れる回路に構成された場合、冷水の流れを切り換えてから所定時間が経過した後に空気の流れを切り換えるように構成される。
【産業上の利用可能性】
【００９９】
以上説明したように、本発明は、吸着熱交換器を有する水回路を備えた調湿装置として有用である。
【図面の簡単な説明】
【０１００】
【図１】実施形態１に係る調湿装置の水回路を示す配管系統図である。
【図２】実施形態１に係る冷房除湿運転時の水回路を示す配管系統図である。
【図３】実施形態１に係る冷房除湿運転時の水回路を示す配管系統図である。
【図４】実施形態１に係る冷房除湿運転時の水回路を示す配管系統図である。
【図５】実施形態１に係る冷房除湿運転時の水回路を示す配管系統図である。
【図６】実施形態１に係る冷房除湿運転時の水回路を示す配管系統図である。
【図７】実施形態１に係る冷房除湿運転時の水回路を示す配管系統図である。
【図８】実施形態２に係る調湿装置の水回路を示す配管系統図である。
【図９】実施形態２に係る冷房除湿運転時の水回路を示す配管系統図である。
【図１０】実施形態２に係る冷房除湿運転時の水回路を示す配管系統図である。
【図１１】実施形態２に係る冷房除湿運転時の水回路を示す配管系統図である。
【図１２】実施形態２に係る冷房除湿運転時の水回路を示す配管系統図である。
【図１３】実施形態３に係る調湿装置の水回路を示す配管系統図である。
【図１４】実施形態３の変形例に係る調湿装置の水回路を示す配管系統図である。
【図１５】実施形態４に係る調湿装置の水回路を示す配管系統図である。
【図１６】実施形態４に係る調湿装置の水回路を示す配管系統図である。
【図１７】実施形態４の変形例に係る調湿装置の水回路を示す配管系統図である。
【図１８】実施形態４に変形例に係る調湿装置の水回路を示す配管系統図である。
【図１９】実施形態５に係る調湿装置の水回路を示す配管系統図である。
【図２０】実施形態５に係る調湿装置の水回路を示す配管系統図である。
【符号の説明】
【０１０１】
10        調湿装置
20        水回路
32        第１吸着熱交換器（第１熱交換器）
36        バイパス通路
42        第２吸着熱交換器（第２熱交換器）
【図１】
2006284078.tif 000003
【図２】
2006284078.tif 000004
【図３】
2006284078.tif 000005
【図４】
2006284078.tif 000006
【図５】
2006284078.tif 000007
【図６】
2006284078.tif 000008
【図７】
2006284078.tif 000009
【図８】
2006284078.tif 000010
【図９】
2006284078.tif 000011
【図１０】
2006284078.tif 000012
【図１１】
2006284078.tif 000013
【図１２】
2006284078.tif 000014
【図１３】
2006284078.tif 000015
【図１４】
2006284078.tif 000016
【図１５】
2006284078.tif 000017
【図１６】
2006284078.tif 000018
【図１７】
2006284078.tif 000019
【図１８】
2006284078.tif 000020
【図１９】
2006284078.tif 000021
【図２０】
2006284078.tif 000022